(57)【要約】  【課題】  簡単かつ効果的に上下インナーピンクッション歪を補正することができるカラー受像管装置を提供する。  【解決手段】  電子銃１４から放射された３本の電子ビームが、水平偏向コイル４及び垂直偏向コイル５により水平偏向及び垂直偏向されて、スクリーン上にカラー画像を形成し、偏向ヨーク７は一対の補正コイル９を備えており、一対の補正コイル９は、水平偏向コイル４及び垂直偏向コイル５より後部に配置され、電子ビームを画面水平方向に挟むように配置されており、前記垂直偏向方向と同一の向きの予備偏向磁界を発生し、補正コイル９に供給する電流の電流波形を、画面垂直方向において画面水平軸と画面外形線との間の位置に対応した部分に電流値の絶対値の極大値がある電流波形にして、上下インナーピンクッション歪を補正する。【選択図】図１
2006236696.tif 000002
【特許請求の範囲】
【請求項１】
パネルの後部にファンネルが接続されたバルブと、前記バルブの後部に設けられた電子銃と、前記バルブの外周部を囲むように配置され水平偏向コイル及び垂直偏向コイルを含む偏向ヨークとを備え、
前記電子銃から放射された３本の電子ビームが、前記水平偏向コイル及び前記垂直偏向コイルにより水平偏向及び垂直偏向されて、スクリーン上にカラー画像を形成するカラー受像管装置であって、
前記偏向ヨークは一対の補正コイルを備えており、前記一対の補正コイルは、前記水平偏向コイル及び前記垂直偏向コイルより後部に配置され、前記電子ビームを画面水平方向に挟むように配置されており、前記垂直偏向方向と同一の向きの予備偏向磁界を発生し、
前記補正コイルに供給する電流の電流波形を、画面垂直方向において画面水平軸と画面外形線との間の位置に対応した部分に電流値の絶対値の極大値がある電流波形にして、上下インナーピンクッション歪を補正することを特徴とするカラー受像管装置。
【請求項２】
前記電流波形の極大値は、画面垂直方向において画面水平軸と画面外形線との間の略中間位置に対応した部分にある請求項１に記載のカラー受像管装置。
【請求項３】
互いに極性が逆向きになるように配置した１対のダイオードを２対備え、さらに前記補正コイル及び抵抗を備えたブリッジ回路により、前記電流波形を生じさせる請求項１に記載のカラー受像管装置。
【請求項４】
前記電流波形は、前記極大値における電流の向きと、前記画面外形線に対応した部分における電流の向きとが逆になっている請求項１に記載のカラー受像管装置。
【発明の詳細な説明】
【技術分野】
【０００１】
本発明は、テレビジョン又はコンピュータディスプレイ等に用いられるカラー受像管装置に関し、特に上下インナーピンクッション歪を補正する技術に関する。
【背景技術】
【０００２】
近年のカラーテレビジョン（ＴＶ）に使用されるカラー受像管装置においては、曲率半径の大きな前面スクリーンを有する陰極線管（ＣＲＴ）が用いられると共に、デジタル放送などのようなスクリーン周辺部領域にも必要な情報を表示させる頻度が高くなっている。このため、画像表示はスクリーン全域において、見易い繊細なものであることが要求されている。
【０００３】
この要求に対する重要な要素がラスタ歪であり、このラスタ歪に対する要求は非常に厳しいものとなっている。その中にあって、ラスタ歪の一つである上下インナーピンクッション歪と呼ばれる歪の補正が課題となってきた。
【０００４】
従来のカラー受像管装置では、上下インナーピンクッション歪の補正については、偏向ヨークの中心軸を垂直方向に傾ける上下ティルトによって、ピンクッション歪量の上下バランスをとるだけの補正方式が主であった。これに対して、特許文献１や特許文献２には、偏向ヨーク内に補正コイルを用いた補正方式が提案されている。
【特許文献１】特開２０００−３３１６２６号公報
【特許文献２】特開２００２−４２６９４号公報
【発明の開示】
【発明が解決しようとする課題】
【０００５】
しかしながら、特許文献１、２に提案された補正方式にも、下記のような問題があった。特許文献１に記載の補正方式の構成は、上下インナーピンクッション歪を補正するために、補正コイルにより、垂直偏向コイルで発生させる磁界とは逆向きの予備偏向磁界を発生させ、これをスクリーンの垂直方向周辺部領域のみに用いるというものである。
【０００６】
このことは、スクリーンの垂直方向周辺部領域における上下ピンクッション歪を増大させることになる。この場合、水平偏向コイルもしくは垂直偏向コイルの磁界分布の変更、またはマグネットを用いた補正が必要となる。このため、上下ピンクッション歪とコンバーゼンスとを両立させることが困難となり、コンバーゼンス特性が悪化するという問題があった。
【０００７】
また、特許文献２の偏向ヨークでは、スクリーンの垂直方向周辺部領域にまで補正の影響を与え、スクリーンの垂直方向中間部領域において効果的に補正させることができないという問題があった。
【０００８】
本発明は、前記のような従来の問題を解決するものであり、簡単かつ効果的に上下インナーピンクッション歪を補正することができるカラー受像管装置を提供することを目的としている。
【課題を解決するための手段】
【０００９】
前記目的を達成するために、本発明のカラー受像管装置は、パネルの後部にファンネルが接続されたバルブと、前記バルブの後部に設けられた電子銃と、前記バルブの外周部を囲むように配置され水平偏向コイル及び垂直偏向コイルを含む偏向ヨークとを備え、前記電子銃から放射された３本の電子ビームが、前記水平偏向コイル及び前記垂直偏向コイルにより水平偏向及び垂直偏向されて、スクリーン上にカラー画像を形成するカラー受像管装置であって、前記偏向ヨークは一対の補正コイルを備えており、前記一対の補正コイルは、前記水平偏向コイル及び前記垂直偏向コイルより後部に配置され、前記電子ビームを画面水平方向に挟むように配置されており、前記垂直偏向方向と同一の向きの予備偏向磁界を発生し、前記補正コイルに供給する電流の電流波形を、画面垂直方向において画面水平軸と画面外形線との間の位置に対応した部分に電流値の絶対値の極大値がある電流波形にして、上下インナーピンクッション歪を補正することを特徴とする。
【発明の効果】
【００１０】
本発明によれば、簡単かつ効果的に上下インナーピンクッション歪を補正することができる。
【発明を実施するための最良の形態】
【００１１】
本発明のカラー受像管装置は、垂直偏向方向と同一の向きの予備偏向磁界を発生する補正コイルを備え、補正コイルに供給する電流の電流波形を、画面垂直方向において画面水平軸と画面外形線との間の位置に対応した部分に電流値の絶対値の極大値がある電流波形にしているので、簡単かつ効果的に上下インナーピンクッション歪を補正することができる。
【００１２】
前記本発明のカラー受像管装置においては、前記電流波形の極大値は、画面垂直方向において画面水平軸と画面外形線との間の略中間位置に対応した部分にあることが好ましい。この構成によれば、上下インナーピンクッション歪の補正により効果的である。
【００１３】
また、互いに極性が逆向きになるように配置した１対のダイオードを２対備え、さらに前記補正コイル及び抵抗を備えたブリッジ回路により、前記電流波形を生じさせることが好ましい。この構成によれば、簡単な回路構成で、画面水平軸と画面外形線との間の位置に対応した部分に電流値の絶対値の極大値がある電流波形を得ることができる。
【００１４】
また、前記電流波形は、前記極大値における電流の向きと、前記画面外形線に対応した部分における電流の向きとが逆になっているようにしてもよい。この構成は、画面周辺部にバレル歪が生じる場合に適している。
【００１５】
以下、本発明の一実施の形態について、図面を参照しながら説明する。図１は、本発明の一実施の形態に係るカラー受像管装置の側面図である。本図に示したカラー受像管装置は、陰極線管１と偏向ヨーク７とを備えている。陰極線管１は、外囲器であるバルブ１６及びこれに付属した構成部品とを備えている。バルブ１はガラスで成形されており、内面にスクリーン面が形成されたパネル２と、パネル２の後部に接続された漏斗状のファンネル３とで構成されている。ファンネル３のネック部３ａ内には、３本の電子ビームを放出する電子銃１４が設置されている。
【００１６】
偏向ヨーク７は、バルブ１６の外部を囲むように装着されている。偏向ヨーク７は、水平偏向コイル４と、その外側に設けられた垂直偏向コイル５と、さらにその外側に設けられたフェライトコア６とを備えている。また、垂直偏向コイル５及び水平偏向コイル４の後部には、第１の補正コイル８と第２の補正コイル９が配置されている。
【００１７】
偏向ヨーク７の水平偏向コイル４、垂直偏向コイル５とから発生する水平、垂直偏向磁界により、電子銃１４から発せられる３本の電子ビームは水平及び垂直偏向されることになる。このことにより、３本の電子ビームは、シャドウマスク（図示せず）を介してスクリーン面上を水平、垂直走査され、カラー画像が表示されることになる。
【００１８】
図２は、本発明の一実施の形態に係る上下インナーピンクッション歪補正回路の回路図を示している。垂直偏向コイル５と第１の補正コイル８と、上下インナーピンクッション歪補正回路である補正回路１０とは直列接続されている。補正回路１０は、互いに極性が逆向きになるように配置した１対のダイオード１１を２対備え、さらに抵抗１５ａ，１５ｂと、第２の補正コイル９とを備えたブリッジ回路で構成されている。
【００１９】
図３は、偏向ヨーク７を電子銃１４側から見た簡略図である。本図は第１の補正コイル８、第２の補正コイル９の配置を示すとともに、矢印１７（破線）は垂直偏向コイル５から発生する垂直偏向磁界、矢印１８（実線）は第２の補正コイル９から発生する予備偏向磁界を示している。
【００２０】
第１の補正コイル８は、電子ビーム２４を画面垂直方向に挟むように配置されている。第１の補正コイル８から発生する磁界は、垂直偏向コイル５が発生させる磁界と同方向の６極磁界を構成する磁界からなり、この磁界は主にスクリーンの垂直方向のコマ収差補正に用いられる。
【００２１】
第２の補正コイル８は、電子ビーム２４を画面水平方向に挟むように配置されている。第２の補正コイル９は、２極磁界を構成する磁界からなり、垂直偏向コイル５から発生する垂直偏向磁界と同一の向きの予備偏向磁界を発生するものである。
【００２２】
次に、本発明の一実施の形態に係るカラー受像管装置の動作について、具体的に説明する。図４は、スクリーンにおける垂直方向周辺部領域と垂直方向中間部領域を説明するためのスクリーンの概略平面図である。図４において２０は画面垂直軸、２１は画面水平軸である。本図ではスクリーン１９を垂直方向において、３つの領域に分けており、画面水平軸２１を挟む斜線で示した部分が垂直方向中間部領域（以下「中間部領域」と呼ぶ）１２である。中間部領域１２の外側の部分が垂直方向周辺部領域（以下「周辺部領域」と呼ぶ）１３である。中間部領域１２と周辺部領域１３との境界線２２は、例えば画面垂直方向において画面水平軸２１と画面外形線２３との間の略中間位置の線である。
【００２３】
図５は、図４に示したスクリーン１９において、上下インナーピンクッション歪を説明する図である。上下インナーピンクッション歪は、図４における中間部領域１２と周辺部領域１３との境界線２２に対応した部分の近傍に発生している。
【００２４】
図６（ａ）は垂直偏向電流の電流波形を示している。横軸は時間ｔ、縦軸は電流値Ｉを示している。垂直偏向の電流波形は鋸歯状であり、画面水平軸２１近傍に対応する部分（ｔ３近傍）では電流値の絶対値は小さく、画面外形線２３近傍に対応する部分（ｔ１、ｔ５近傍）に近いほど電流値の絶対値は大きくなっている。すなわち、周辺部領域１３に対応した部分の偏向電流の絶対値は、中間部領域１２に対応した部分の偏向電流の絶対値より大きくなっている。
【００２５】
図６（ａ）に示した垂直偏向電流は、図２において、垂直偏向コイル５、第１の補正コイル８を通り、補正回路１０へと流れていく。中間部領域１２においては、前記のように、偏向電流の絶対値は小さく、補正回路１０では、ダイオード１１の両端にかかる電圧がスイッチング電圧以下となる。この状態では、ダイオード１１には電流がほとんど流れない。したがって、補正回路１０においては、抵抗１５ａ、第２の補正コイル９、抵抗１５ｂの順に垂直偏向電流が流れることになる。
【００２６】
図６（ｂ）は、第２の補正コイル９に流れる補正電流の電流波形を示している。ｔ２とｔ４との間の部分が、中間部領域１２に対応した部分に相当する。この部分における電流値の絶対値は、図６（ａ）の偏向電流の絶対値が増加するにつれて増加している。
【００２７】
一方、図６（ａ）に示した電流波形においては、前記のように、周辺部領域１３に対応した部分は、中間部領域１２に対応した部分に比べ偏向電流の絶対値は大きい。偏向電流の絶対値が大きくなると、補正回路１０において、ダイオード１１の両端に加わる電圧がスイッチング電圧を越えることになる。このことにより、第２の補正コイル９には、ダイオード特性とブリッジ回路の関係に応じた補正電流が流れる。すなわち、電圧上昇とともにダイオード１１の見かけ上の抵抗は小さくなり、第２の補正コイル９には補正電流が流れにくくなる。
【００２８】
この状態は、図６（ｂ）のｔ１とｔ２との間及びｔ４とｔ５との間の状態に相当し、図６（ａ）の偏向電流の絶対値が増加するにつれて、第２の補正コイル９に流れる電流値の絶対値は減少することになる。したがって、第２の補正コイル９に流れる補正電流の電流波形は、周辺部領域１３と中間部領域１２との境界に対応した部分に、電流値の絶対値の極大値があることになる。
【００２９】
また、一般的に、予備偏向が増すことによって上下ピンクッション歪が低減することはすでに知られている。これらのことから、スクリーンの中間部領域１２と周辺部領域１３の境界付近（図６（ｂ）のｔ２及びｔ４付近）において、上下インナーピンクッション歪（図５）を最大限に補正することができる。
【００３０】
より具体的には、垂直偏向する際、中間部領域１２においては、第２の補正コイル９から発生する磁界によって、第２の補正コイル９付近において電子ビームは垂直方向に予備偏向される。垂直方向の予備偏向が強くなるにつれ、上下のラスタ歪はピンクッション歪からバレル型の歪となる。
【００３１】
一方、中間部領域１２と周辺部領域１３の境界付近から周辺部領域１３にかけては、境界付近で極大値となった補正電流の絶対値は徐々に小さくなっていく。すなわち、補正電流の電流波形は、上下インナーピンクッション歪の発生する中間部領域と周辺部領域との境界付近に対応した部分で、補正電流の絶対値が極大値となるので、上下インナーピンクッション歪を効果的に補正することが可能になる。
【００３２】
また、図６（ｃ）は、第２の補正コイル９に流れる補正電流の別の例に係る電流波形を示している。図６（ｃ）の電流波形は、補正回路の設定により、周辺部領域において補正電流の向きを逆転させたものである。本図に示した電流波形をｔ１とｔ３との間の片側半分について見ると、電流値の極大値（ｔ２の位置）における電流の向きと、画面外形線に対応した部分（ｔ１の位置）における電流の向きとが逆になっている。このため、極大値の位置においては電流の向きは正であるのに対して、画面外形線２３近傍に対応する部分（ｔ１近傍）の電流の向きは負になっている。このことは、電流の正負の関係は逆になっているが、もう一方の片側半分（ｔ３とｔ５との間）についても同様である。この電流波形は、画面外形線２３近傍において、補正方向を逆にできるので、画面外形線２３近傍にバレル歪が生じる場合に有効である。
【００３３】
次に、本発明の効果を確認した実施例について説明する。本実施例は、７６ｃｍ型のＴＶ用のカラー受像管装置とした。図１に示したように、補正コイル８、９は、偏向ヨーク７の電子銃１４側端部に配置した。
【００３４】
また、図３に示したように、バルブ１６の上下の位置に第１の補正コイル８、左右の位置に第２の補正コイル９を配置した。第１の補正コイル８は、幅２０ｍｍ、高さ５ｍｍ、厚さ２ｍｍの略Ｕ字状の磁性片に巻数１３０Ｔとし、第２の補正コイルは、幅１５ｍｍ、高さ５ｍｍ、厚さ２ｍｍの略Ｉ字状の磁性片に巻数５０Ｔとした。
【００３５】
また、補正回路は図２に示したものと同様の回路とし、上下インナーピンクッション歪の発生する中間部領域と周辺部領域との境界付近に対応した部分で、補正電流の絶対値が極大値となるようにした。このような構成にすることで、上下インナーピンクッション歪の性能を０．５ｍｍ改善することができた。
【００３６】
なお、前記実施の形態においては、図４の境界線２２は、画面水平軸２１と画面外形線２３との間の略中間位置の線とし、補正電流の電流波形においてこの境界線２２に対応した部分で電流値の絶対値の極大値となる例で説明した。しかしながらこの例に限るものではなく、上下インナーピンクッション歪の位置に応じて、補正回路の設定により極大値の位置を適宜変更してもよい。
【産業上の利用可能性】
【００３７】
以上のように、本発明によれば、簡単かつ効果的に上下インナーピンクッション歪を補正することができるので、例えばテレビジョン、コンピュータディスプレイに用いられるカラー受像管装置として有用である。
【図面の簡単な説明】
【００３８】
【図１】本発明の一実施の形態に係るカラー受像管装置の側面図。
【図２】本発明の一実施の形態に係る上下インナーピンクッション歪補正回路の回路図。
【図３】本発明の一実施の形態に係る偏向ヨークを電子銃側から見た簡略図。
【図４】スクリーンの一例の概略平面図。
【図５】上下インナーピンクッション歪の説明図。
【図６】（ａ）は垂直偏向電流の電流波形を示す図、（ｂ）は第２の補正コイルに流れる補正電流の電流波形を示す図、（ｃ）は第２の補正コイルに流れる補正電流の別の例の電流波形を示す図。
【符号の説明】
【００３９】
１  陰極線管
２  パネル
３  ファンネル
４  水平偏向コイル
５  垂直偏向コイル
６  フェライトコア
７  偏向ヨーク
８  第１の補正コイル
９  第２の補正コイル
１０  補正回路
１１  ダイオード
１２  中間部領域
１３  周辺部領域
１４  電子銃
１５ａ，１５ｂ  抵抗
１６  バルブ
２４  電子ビーム
【図１】
2006236696.tif 000003
【図２】
2006236696.tif 000004
【図３】
2006236696.tif 000005
【図４】
2006236696.tif 000006
【図５】
2006236696.tif 000007
【図６】
2006236696.tif 000008